(57)【要約】      （修正有）【課題】パッド、インスツルメント、印象用トレーを区分して、一括して収納できる歯科用キャビネットを提供する。【解決手段】左右の側壁３、４、底壁５、頂壁６及び背壁７から成る１つのキャビネット本体８を備え、キャビネット本体８は、その内部が、左右の隔壁１０、１１によって、パッド収納室１３、インスツルメント収納室１４及び印象用トレー収納室１５に区画されており、パッド収納室１３、インスツルメント収納室１４及び印象用トレー収納室１５は、それぞれ開閉可能な扉が取り付けられており、パッド収納室１３、インスツルメント収納室１４及び印象用トレー収納室１５のそれぞれの扉の内面には、紫外線殺菌灯が取り付けられている。【選択図】図１
0003144264.tif 000002
【実用新案登録請求の範囲】
【請求項１】
左右の側壁、底壁、頂壁及び背壁から成る１つのキャビネット本体を備え、該キャビネット本体は、その内部が、左右の２つの隔壁によって、パッド収納室、インスツルメント収納室及び印象用トレー収納室に区画されており、
前記パッド収納室、インスツルメント収納室及び印象用トレー収納室は、それぞれ開閉可能な扉が取り付けられていることを特徴とする歯科用キャビネット。
【請求項２】
前記パッド収納室、インスツルメント収納室及び印象用トレー収納室のそれぞれの扉の内面には、紫外線殺菌灯が取り付けられていることを特徴とする請求項１記載の歯科用キャビネット。  
【請求項３】
前記パッド収納室、インスツルメント収納室及び印象用トレー収納室のそれぞれの扉の外面は、横幅方向の中央に所定の幅の平坦面を有する中央部が形成され、この中央部に向けて左右から前方に向けてテーパ面が形成されており、前記平坦面に鏡が取り付けられていることを特徴とする請求項２記載の歯科用キャビネット。  
【考案の詳細な説明】
【技術分野】
【０００１】
本考案は、歯科診療で使用するパッド、インスツルメント及び印象用トレーを収納する紫外線殺菌灯付き歯科用キャビネットに関する。
【０００２】
本明細書で、インストルメントは、一般的には歯科治療用の器具を言うが、そのうち比較的小さいものとしては、ピンセット、ミラー、キュレット（歯根部に付いた歯石を除去する際等のために使う歯科器具）、鋏、充填器（アマルガム等の充填物を充填する器具）等があり、比較的大きいものとしては、抜歯用の鉗子等がある。パッドは、比較的に小さなインストルメント等を載置する盆（皿）を言う。
【背景技術】
【０００３】
従来、歯科診療で使用するパッド、インスツルメント、印象用トレーを、それぞれ単独で収納する紫外線殺菌灯付き歯科用キャビネットは知られている。
【０００４】
本考案者は、すでにパッドを収納する紫外線殺菌灯付き抗菌キャビネットを提案している（特許文献１参照）。さらに、本考案者は、印象用トレーを収納する紫外線殺菌灯付き抗菌キャビネット（特許文献２、図１、２参照）、及び紫外線殺菌灯付き抗菌キャビネット（特許文献２、図３参照）を提案している。
【０００５】
【特許文献１】特開平１１−７６２７２号公報
【特許文献２】特開平１１−７６２７３号公報
【考案の開示】
【考案が解決しようとする課題】
【０００６】
従来の紫外線殺菌灯付き歯科用キャビネットは、パッド、インスツルメント、印象用トレーのそれぞれに対する専用キャビネットであり、それぞれ専用のキャビネットを購入し設置しなくてはならず、壁面のスペースを多くとり、その取り付け作業も面倒である。そして、パッド、インスツルメント、印象用トレーが一箇所に収納されておらず、それぞれ専用のキャビネットに収納されているので、ユーザーである歯科医としても使用しにくいという問題があった。
【０００７】
本考案は、上記従来の紫外線殺菌灯付きキャビネットの有する問題点を解決することを目的とするものであり、パッド、インスツルメント、印象用トレーを区分し、しかも一括して収納できる歯科用キャビネットを実現することを課題とする。
【課題を解決するための手段】
【０００８】
本考案は上記課題を解決するために、左右の側壁、底壁、頂壁及び背壁から成る１つのキャビネット本体を備え、該キャビネット本体は、その内部が、左右の２つの隔壁によって、パッド収納室、インスツルメント収納室及び印象用トレー収納室に区画されており、前記パッド収納室、インスツルメント収納室及び印象用トレー収納室は、それぞれ開閉可能な扉が取り付けられていることを特徴とする歯科用キャビネットを提供する。
【０００９】
前記パッド収納室、インスツルメント収納室及び印象用トレー収納室のそれぞれの扉の内面には、紫外線殺菌灯が取り付けられていることが好ましい。  
【００１０】
前記パッド収納室、インスツルメント収納室及び印象用トレー収納室のそれぞれの扉の外面は、横幅方向の中央に所定の幅の平坦面を有する中央部が形成され、この中央部に向けて左右から前方に向けてテーパ面が形成されており、前記平坦面に鏡が形成されていることが好ましい。  
【考案の効果】
【００１１】
本考案に係る歯科用キャビネットは、上記のような構成であるから、次のような効果が生じる。
（１）パッド、インスツルメント、印象用トレーを区分して収納でき、一体の歯科用キャビネットとして構成されているから、ユーザーにとっては、従来のようにそれぞれ専用の歯科用キャビネットを購入し、それぞれ設置するという煩わしさがなく、また設置スペースも比較的小さくすることが可能となる。
【００１２】
（２）パッド、インスツルメント、印象用トレーが、区分されて一箇所の歯科用キャビネットに収納されているので、ユーザーである歯科医は使用し易い。
【考案を実施するための最良の形態】
【００１３】
本考案に係る歯科用キャビネットを実施するための最良の形態を実施例に基づき図面を参照して、以下説明する。
【実施例】
【００１４】
本考案に係る歯科用キャビネットの実施例を図１〜３において説明する。本考案の歯科用キャビネット１は、１つのキャビネット本体８内を、パッド１２、インスツルメント１６、印象用トレー９を収納する収納室に区画し、一括的に収納可能とする構成を特徴とする。
【００１５】
図１は、歯科用キャビネット１の斜視図であり、前面の扉２を説明の都合上省略した状態を示す。図２は、同様に歯科用キャビネット１の斜視図を示し、図２（ａ）は開閉可能に設けられた３つの扉２が閉じられた状態を示す図であり、図２（ｂ）は３つの扉２が開かれた状態を示す図である。
【００１６】
図１に示すように、歯科用キャビネット１は、左側壁３、右側壁４、底壁５、頂壁６及び背壁７から成る１つのキャビネット本体８を備えている。これらの左右の側壁３、４、底壁５、頂壁６及び背壁７は、鉄、その他の金属、樹脂、又は木等の材料で形成され、その内壁面は抗菌性を有するステンレス鋼（特許文献１、２参照）で内張されており、その内壁面の表面は研磨等により鏡面状態に仕上げされることで、紫外線殺菌灯２６から放射される紫外線の反射を良好にしている。
【００１７】
歯科用キャビネット１は、そのキャビネット本体８の内部が、左隔壁１０及び右隔壁１１によって、パッド収納室１３、インスツルメント収納室１４及び印象用トレー収納室１５に区画されている。左右の隔壁１０、１１も、キャビネット本体８と同様の材料で形成され、それらの内壁面は、キャビネット本体８の内壁面と同様に、抗菌性を有するステンレス鋼で内張されており、その内壁面の表面は研磨等により鏡面状態に仕上げされることで、紫外線殺菌灯２６から放射される紫外線の反射を良好にしている。
【００１８】
パッド収納室１３は、左側壁３及び左隔壁１０が互いに対向する内面に、それぞれ水平に張り出したガイドレール２０が上下方向に間隔をおいて複数段設けられている。これにより、複数枚のパッド１２を、それぞれその左右側縁部をガイドレール２０上に摺動可能に載置することができる。これにより、複数枚のパッド１２を、上下方向に間隔をおいて引き出して取り出し可能に収納することができる。
【００１９】
インスツルメント収納室１４には、比較的大きなインスツルメント１６（例えば、抜歯用鉗子等）を吊持して収納するための複数の吊り杆１８が、上下方向に複数段、左右方向に複数列設けられている。本実施例では、複数の吊り杆１８は、上下２段、左右３列で設けられている。
【００２０】
吊り杆１８は、先端部が前方に水平に延びるように、その基端部が背壁７に補強部材１９で補強されて取り付けられている。使用に際しては、この吊り杆１８に比較的大きなインスツルメント１６を吊持させて、取り出し自在に収納することができる。
【００２１】
インスツルメント収納室１４の底部には、吊り杆１８で吊持することのできない比較的小さなインスツルメント１７（例えば、ミラー、キュレット、メス、等のいわゆる棒物等）を載置するためのインスツルメント載置棚部２１が形成されている。
【００２２】
この載置棚部２１は、抗菌性を有するステンレス鋼の板材をプレスにより複数の小孔をあけて形成されている。そして、このインスツルメント載置棚部２１には、左右方向に延びるように隆起支持部２２が立設されている。この載置棚部２１には、比較的小さなインスツルメント１７を、隆起支持部２２の凹部に支持させて使用者が摘み上げやすくなるように、左右方向に間隔をおいて載置されている。
【００２３】
印象用トレー収納室１５には、複数の吊り杆２４が、上下方向に複数段、左右方向に複数列、設けられている。本実施例では、複数の吊り杆２４は、上下３段、左右３列に設けられている。吊り杆２４は、インスツルメント収納室１４の吊り杆１８と同様に、先端部が水平となるように背壁７に補強部材２５で補強されて取り付けられている。印象用トレー９は、吊り杆２４に掛けて収納することができる。
【００２４】
本実施例の歯科用キャビネット１では、図２（ａ）、（ｂ）に示すように、扉２は、パッド収納室１３、インスツルメント収納室１４、印象用トレー収納室１５のそれぞれに対して、一方向に開くように設けられている。要するに、歯科用キャビネット１は、３つの扉２を、それぞれ各収納室１３、１４、１５毎に、右手前側に回動して開けるように設けられている。
【００２５】
扉２の数やその回動方向は、本考案では、本実施例に限定する必要はない。例えば、パッド収納室１３及びインスツルメント収納室１４については、それぞれ扉２を左方向に回動して開けるようにし、印象用トレー収納室１５については、右方向に回動して開けるように、３つの扉２をそれぞれ取り付けてもよい。
【００２６】
図２（ｂ）において、パッド収納室１３の扉２の幅方向の中央部３０の内面に、上下方向に延びる紫外線殺菌灯２６が設けられている。この紫外線殺菌灯２６は、外部からスイッチを入れると、扉２を閉じた状態では紫外線殺菌灯２６を点灯しており、扉２を開くと消灯するように扉２の開閉に応じてオンオフできるような電気回路（図示せず）が形成されている。
【００２７】
紫外線殺菌灯２６から放射された紫外線は、パッド収納室１３の内壁面（背壁７、左隔壁１０、右側壁、頂壁６及び底壁５等の内壁面）によって反射され、収納されているパッド１２（図１参照）や、パッド１２に収納された比較的小さなインスツルメント（図示せず）を効果的に照射し、殺菌消毒する。
【００２８】
紫外線殺菌灯２６の手前側上方及び奥側下方には、ガラス付き窓２７がそれぞれ形成されている。これらの窓２７は、外側から見て、歯科用キャビネット１内のパッド１２の収納状態を視認することができる。
【００２９】
なお、扉２は、キャビネット本体８と同様の材料で形成され、それらの内面は、紫外線殺菌灯２６の取り付け部やガラス付き窓２７等を除いて、キャビネット本体８の内壁面と同様に、抗菌性を有するステンレス鋼で内張されており、その表面は研磨等により鏡面状態に仕上げされることで、紫外線殺菌灯２６から放射される紫外線の反射を良好にしている。
【００３０】
さらに、図２（ｂ）に示すように、扉２の内側の矩形の枠の内面にはパッキン（ガスケット）３２が装着されており、扉２を閉じた際の密閉性を高めている。
【００３１】
インスツルメント収納室１４及び印象用トレー収納室１５についても、紫外線殺菌灯２６を取り付けた扉２の構成について、パッド収納室１３の扉２、紫外線殺菌灯２６に関する構成と同じであるから、その説明は省略する。
【００３２】
以上のとおり、本考案では、パッド収納室１３、インスツルメント収納室１４及び印象用トレー収納室１５のそれぞれについて紫外線殺菌灯２６を設けたので、各収納室内の収納物を十分かつ効果的に照射殺菌可能である。
【００３３】
図３（ａ）、（ｂ）は、歯科用キャビネット１の部分的な平面図及び正面図であり、扉２の前面２８の構成を説明するための図である。図３（ａ）に示すように、扉２は、その前面２８において、横幅方向左右側縁から中央部３０に向け、前方に向かうテーパ面２９が形成されている。扉２の前面２８の中央部３０は、横幅方向に適宜の幅を有し、平坦な面となっている。このような形状は、見栄えを良くするためのデザインを考慮したものである。
【００３４】
扉の前面２８において、平坦な中央部３０に、図３（ｂ）に示すように、縦方向に長細い鏡３１を取り付けてもよい。このように、歯科用キャビネット１の前面２８に鏡３１が設けられていると、使用者は、鏡３１を本来の目的で使用できるとともに、意匠的観点からも興趣深い構成となる。
【００３５】
以上、本考案に係る歯科用キャビネットを実施するための最良の形態を実施例に基づいて説明したが、本考案はこのような実施例に限定されるものではなく、実用新案登録請求の範囲に記載された技術的事項の範囲内でいろいろな実施例があることは言うまでもない。
【産業上の利用可能性】
【００３６】
本考案に係る歯科用キャビネットは、上記のような構成であるから、歯科用キャビネットにとどまらず、一般の医科用キャビネットとしても応用可能であり、その場合は印象用トレーの代わりに、別の医療用の器具や手術具などを収納すればよい。
【図面の簡単な説明】
【００３７】
【図１】本考案に係る歯科用キャビネットの実施例の歯科用キャビネットの内部の構成及びその使用を説明するための斜視図である。
【図２】本考案に係る歯科用キャビネットの実施例を説明する斜視図であり、（ａ）は扉が閉じた状態を示し、（ｂ）は扉が開いた状態を示す。
【図３】上記実施例の歯科用キャビネットの一部を示す図であり、（ａ）は平面図であり、（ｂ）は正面図である。
【符号の説明】
【００３８】
１   歯科用キャビネット                             
２   扉                                        
３   左側壁                                    
４   右側壁                                    
５   底壁                                      
６   頂壁                                      
７   背壁                                      
８   キャビネット本体                           
９   印象用トレー                    
１０   左隔壁                                  
１１   右隔壁                                
１２   パッド                                  
１３   パッド収納室                             
１４   インスツルメント収納室                    
１５   印象用トレー収納室                       
１６   比較的大きなインスツルメント              
１７   比較的小さなインスツルメント              
１８   比較的大きなインスツルメントの吊り杆       
１９   補強部材                                
２０   ガイドレール              
２１   インスツルメント載置棚部                 
２２   隆起支持部                               
２４   印象用トレーの吊り杆                     
２５   補強部材                                
２６   紫外線殺菌灯                             
２７   ガラス付き窓                             
２８   扉の前面                                
２９   扉の前面のテーパ面                       
３０   扉の前面の中央部                         
３１   長細い鏡
３２   パッキン  
【図１】
0003144264.tif 000003
【図２】
0003144264.tif 000004
【図３】
0003144264.tif 000005